(57)【要約】本発明は、ピストンロッドが軸方向に移動可能にガイドされるシリンダを有する振動ダンパに関する。第１ピストンがピストンロッドに固定して設置されるのに対し、スプリングアセンブリによりバイアスをかけられた少なくとも１つのバルブディスクを装備した第２ピストンは、少なくとも１つの支持スプリングの力に反して軸方向に移動できるようにピストンロッドに取り付けられる。スプリングアセンブリは、それが載った少なくとも１つのスプリング板を具備する。第２ピストンは、固定スリーブとスプリングアセンブリのための少なくとも１つのスプリング板と共に構造ユニットを形成する。少なくとも１つのスプリング板は固定スリーブに対して軸方向に移動できるように設けられ、スプリングアセンブリのバイアスを調節するために所望の軸方向位置で固定される。
2009506269.tif 000002
【特許請求の範囲】
【請求項１】
ピストンロッドが軸方向に移動できるようにガイドされるシリンダを有し、
第１ピストンはピストンロッドに永続的に締め付けられ、スプリング装置によりプリテンションを加えられた少なくとも１つのバルブディスクを装備した第２ピストンが、少なくとも１つの支持スプリングの弾力に抗して軸方向に移動できるように支持され、
スプリング装置は少なくとも１つのスプリング板を有し、スプリング板に抗してスプリング装置は支持された振動ダンパにおいて、
第２ピストン（２３）、保持スリーブ（３７；３７ａ，３７ｂ，３７ｃ）、及びスプリング装置（３３，３５）のための少なくとも１つのスプリング板（３９，４１）が共に構造ユニット（１７）を形成し、
少なくとも１つのスプリング板（３９，４１）は保持スリーブ（３７；３７ａ，３７ｂ，３７ｃ）に対して軸方向に移動できるように支持され、それでスプリング装置（３３，３５）のプリテンションが調節され、スプリング板は所望の軸方向位置に固定されることを特徴とする振動ダンパ。
【請求項２】
少なくとも１つのスプリング板（３９，４１）は保持スリーブ（３７）と圧入嵌めを形成することを特徴とする請求項１に記載の振動ダンパ。
【請求項３】
保持スリーブ（３７）はスプリング板（３９，４１）のために引き出し方向に作用する端部ストッパ（４７）を有し、このスプリング板（３９，４１）は、第２ピストン（２３）のスプリング装置（３３，３５）によってこの端部ストッパ（４７，４９）に対してプリテンションを加えられることを特徴とする請求項２に記載の振動ダンパ。
【請求項４】
保持スリーブ（３７）の一方の端部領域はその周囲領域の少なくとも一部に延びる屈曲セクションを有することを特徴とする請求項３に記載の振動ダンパ。
【請求項５】
保持スリーブ（３７）の外径は複数の階段を有し、これらの階段の１つは第２ピストン（２３）と圧入嵌めを形成することを特徴とする請求項１に記載の振動ダンパ。
【請求項６】
スプリング板（３９，４１）は保持スリーブ（３７）と一体に構成されることを特徴とする請求項１に記載の振動ダンパ。
【請求項７】
保持スリーブは少なくとも２つの軸方向に隣接する保持スリーブ部分（３７ａ，３７ｂ）を有し、少なくとも１つのスプリング板（３９，４１）は保持スリーブ部分（３７ａ，３７ｂ）と一体に構成されることを特徴とする請求項１に記載の振動ダンパ。
【請求項８】
少なくとも２つの保持スリーブ部分（３７ａ，３７ｂ，３７ｃ）は互いに軸方向に重なることを特徴とする請求項７に記載の振動ダンパ。
【請求項９】
少なくとも２つの保持スリーブ部分（３７ａ，３７ｂ，３７ｃ）は圧入嵌めを形成することを特徴とする請求項８に記載の振動ダンパ。
【請求項１０】
第２ピストン（２３）は、保持スリーブ（３７）又は保持スリーブ部分（３７ａ，３７ｂ，３７ｃ）と一体に構成されることを特徴とする請求項１〜９のいずれか一項に記載の振動ダンパ。
【発明の詳細な説明】
【技術分野】
【０００１】
本発明は、請求項１の導入部分に従う振動ダンパに関する。
【背景技術】
【０００２】
従来技術を表す振動ダンパは特許文献１から知られている。このデザイン原理は、高周波数、低振幅励起をフィルタリングする機能を果たし、従って、慣用的な振動ダンパ以上の快適利点を与える。第１ピストンはピストンロッドに永続的に固定される。第２ピストンはピストンロッド上をスライドし、２つのスプリングにより支持される。これらの支持スプリングの１つは第１ピストンに当接するのに対し、第２支持スプリングは、ロックワッシャーで保持されるスプリング板に当接する。支持スプリングは第２ピストンに対してバルブディスクにプリテンションを与え、第２ピストンの軸方向運動に抵抗する。このデザインは複雑なアセンブリ手順を必要とし、さらにバルブディスクのプリテンションが第２ピストンを支持する軸方向の力に依存することを意味する。
【０００３】
軸方向に移動できるようにピストンロッドがガイドされるシリンダを有する振動ダンパが特許文献２から知られている。第１ピストンは第１ピストンロッドに永続的に固定され、第２ピストンは軸方向に移動できるように取り付けられている。第２ピストンは弾性バルブディスクを有し、スプリングの弾性力に抗して軸方向に移動できる。シリンダーは、第１ピストンのピストンロッドのサイドに１つの作業スペース、ピストンロッドと反対の第１ピストンのサイドに別な作業スペース、そして２つのピストンの間に作業スペースを有する。バルブ具備開口が作業スペースの間の接続部を制御する。このデザインは、そのスプリングを備えた第２ピストンのために組み立てられる構造ユニットを提供できない。
【０００４】
【特許文献１】ＤＥ１００４１１９９Ｃ１
【特許文献２】ＪＰ１０３３９３４５Ａ
【特許文献３】ＤＥ３４４５６８４Ａ１
【発明の開示】
【発明が解決しようとする課題】
【０００５】
本発明の課題は、第２ピストンが容易に組み立てられ、バルブディスクのプリテンションが支持スプリングの軸方向の力から独立するように、当該一般タイプの振動ダンパを改良することである。
【課題を解決するための手段】
【０００６】
当該課題は、本発明によれば、第２ピストン、保持スリーブ、スプリング装置のための少なくとも１つのスプリング板が構造ユニットを形成し、少なくとも１つのスプリング板が保持スリーブに対して軸方向に移動できるように支持され、それでスプリング装置のプリテンションが調節され、スプリング板が所望の軸方向位置に固定されることで達成される。
【０００７】
大きな利点は、第２ピストンを含む容易に管理できる構造ユニットが設けられることだけでなく、スプリング装置が効率的に調節され、第２ピストンに所望の減衰力特性を与えられることでもある。
【０００８】
有利な従属請求項によれば、少なくとも１つのスプリング板と保持スリーブは互いに圧入嵌めを形成する。ねじジョイントに比べて、特にねじをロックするための手段を設ける必要がないのでこれはコスト及び組立作業の点でかなり有利である。第２ピストンの減衰力が支持される必要があるだけなので、圧入嵌めは特に大きい軸方向の力を吸収するために必要でない。支持スプリングを構造ユニットに関して少なくとも１つのスプリング板に外側に当接させることもでき、それで支持スプリングはスプリング板に作用する軸方向の力の大部分を受容することができる。
【０００９】
１つの実施形態では、保持スリーブはスプリング板のために引き出し方向に作用する端部ストッパを有する。スプリング板は、第２ピストンのスプリング装置によってこの端部ストッパに対してプリテンションを加えられる。例えば、保持スリーブの一方の端部はその周囲領域の少なくとも一部に屈曲してもよい。
【００１０】
保持スリーブの外径は幾つかの階段（グラジュエーション）を具備し、これらの階段の１つは第２ピストンと圧入嵌めを形成する。コストの理由から、図示された切削されない保持スリーブを使用することが勧められ、その外径の階段のために、保持スリーブの形状のずれは別なものである場合よりも少なくなる。
【００１１】
スプリング板を保持スリーブと一体に構成することも可能である。第２ピストンに対する保持スリーブの軸方向移動により、スプリング装置の調節性は容易に実現される。
【００１２】
別な有利なバリエーションでは、保持スリーブは少なくとも２つの軸方向に隣接する保持スリーブ部分を有する。ここで、少なくとも１つのスプリング板はこれらの保持スリーブ部分の１つの一体部品として構成される。
【００１３】
少なくとも２つの保持スリーブ部分は互いに軸方向に重なる。スプリング装置を調節するために、少なくとも２つの保持スリーブ部分は多かれ少なかれ互いに単純に押し込まれる。有利な従属請求項によれば、少なくとも２つの保持スリーブ部分は互いに圧入嵌めを形成する。
【００１４】
別な実施形態は、第２ピストンが保持スリーブ又は保持スリーブ部分と一体ユニットを形成するように構成される。
【発明を実施するための最良の形態】
【００１５】
以下では図面に基づいて本発明をより詳細に説明する。
図１は、減衰媒体で満たされたシリンダ３を備えた振動ダンパ１の部分を示す。ピストンロッド５は軸方向に移動できるようにガイドされる。第１ピストン７はピストンロッド５に軸方向に締め付けられる。このピストン７は、シリンダをピストンロッド側の作業スペース９と、ピストンロッドの反対側のピストン側の作業スペース１１に分ける。ピストン７のデザイン及び機能は一般に知られている。さらなる情報のために特許文献３の図２を参照されたい。この開示は図面のこの記述の一部を示す。
【００１６】
ピストンロッド側の作業スペース９では、２つの支持スプリング１３，１５がピストンロッド５に設置される。これらのスプリングの支持力は構造ユニット１７に反対方向に作用する。これは図２に別個に示される。それぞれの支持スプリング１３，１５の端面は、ピストンロッド５に対して固定された支持ディスク１９，２１に当接する。ピストンロッドが移動すると、構造ユニット１７は支持スプリング１３，１５の力に抗して第１ピストン７に対して軸方向に移動する。
【００１７】
図２は、第２ピストン２３を有する構造ユニット１７を示す。第２ピストン２３は、バルブディスク２９，３１を有する減衰バルブ２５，２７を有する。そのそれぞれは波形座金の形状のスプリング装置３３，３５によりテンションを加えられる。スプリング装置３３，３５のスプリングの数及び形状は所望なら図２に示されるものと異なっても良い。
【００１８】
第２ピストンは保持スリーブ３７で保持され、そのそれぞれの端部はスプリング装置３３，３５のためのスプリング板３９，４１を担持する。保持スリーブ３７と円形リング形ピストン２３の間で圧入嵌めがなされる。支持スプリング１３に向かう端部では、保持スリーブ３９がスプリング板３９と共に一体ユニットを形成する。保持スリーブ３７がピストンと圧入嵌めを形成する外径から始まり、スリーブは幾つかの階段を有し、スプリング板４１と圧入嵌めを形成する。
【００１９】
組立工程の間スプリング装置３５は少なくとも１つのバルブディスク２９と共に保持スリーブ３７に挿入される。次いで、ピストン２３は保持スリーブに押し込まれ、スプリング装置３５が所望な弾力を発揮するように移動距離が調節される。次いで、バルブディスク３１とスプリング装置３３が加えられる。最終ステップでは、スプリング装置３３が正しいプリテンションを有するまで、スプリング板４１が保持スリーブ３７に押し込まれる。保持スリーブは、移動距離４５を有する段階セクションを有する。これは、保持スリーブ上のスプリング板の軸方向寸法より大きい。
【００２０】
支持スプリング１５の端部はスプリング板４１と当接するので、スプリング板４１と保持スリーブ３７の圧入嵌めは、スプリング装置３３から生じる特に強い軸方向の力を吸収する必要はない。
【００２１】
図３に従うバリエーションでは、２つのスプリング板３９，４１は構造ユニット１７内に互いの鏡像になるように取り付けられる。半分に切断されると、その半分はそれぞれ屈曲した断面を示す。スプリング板のガイドセクション３９ｆ，４１ｆは保持スリーブ３７と圧入嵌めを形成する。所望であれば、溶接によりさらなる固定機能が与えられてもよい。
【００２２】
第２ピストン２３とスプリング板４１の間の領域では、図４に従う構造ユニット１７のバリエーションは図２に示されたものと同一である。全体としてＵ形断面を有するスプリング板３９を締め付けるための別な可能性として、引き出し方向に作用する端部ストッパ４７が使用される。これに対してスプリング板３９はスプリング装置３５によりプリテンションを加えられる。端部ストッパ４７は保持スリーブの屈曲した周囲セクションにより形成される。
【００２３】
図５はさらに、Ｕ形スプリング板３９，４１が構造ユニット１７における両方のスプリング装置３５，３３のために使用されることを示す。このために、保持スリーブの両方の端部領域は端部ストッパ４７，４９を具備している。
【００２４】
図６に従う構造ユニット１７は２つの保持スリーブ部分３７ａ，３７ｂからなる保持スリーブを有する。ここで、スプリング板３９は保持スリーブ部分３７ａの一体部分として構成される。２つの保持スリーブ部分３７ａ，３７ｂは互いに軸方向に重なり、重なり領域において圧入嵌めを形成する。ここで、スプリング装置３５のプリテンションは重なり領域５１の長さを選択することで調節できる。第２ピストン２３は、ガイドスリーブ部分３７ｂと共に一体に構成されてもよい。スプリング板４１又はガイドスリーブ部分３７ｂの端部領域も図２〜５に示されるバリエーションと同様に構成されてもよい。
【００２５】
図７は、図６に示された構造ユニット１７の変形例を示し、機能的に３つの部分の保持スリーブが使用される。スプリング板３９，４１を備えた保持スリーブ部分３７ａ，３７ｂは同一部品でもよい。両サイドのガイドスリーブ部分を備えたハブ３７ｃが第２ピストンの内径上に設けられる。このハブは重なり領域５１を有し、保持スリーブ部分３７ａ，３７ｂの内径と圧入嵌めを形成する。
【図面の簡単な説明】
【００２６】
【図１】第１ピストンと軸方向に移動可能な第２ピストンを有する本発明の構造ユニットを有するピストンロッドである。
【図２】分離した図１に従う構造ユニットである。
【図３】一体型の保持スリーブを有する構造ユニットの別な実施形態を示す。
【図４】一体型の保持スリーブを有する構造ユニットの別な実施形態を示す。
【図５】一体型の保持スリーブを有する構造ユニットの別な実施形態を示す。
【図６】多数の軸方向に隣接する部分を有する保持スリーブを具備した構造ユニットを示す。
【図７】多数の軸方向に隣接する部分を有する保持スリーブを具備した構造ユニットを示す。
【符号の説明】
【００２７】
３  シリンダ
１３，１５  支持スプリング
１７  構造ユニット
２３  第２ピストン
３３，３５  スプリング装置
３７  保持スリーブ
３９，４１  スプリング板
４７，４９  端部ストッパ
【図１】
2009506269.tif 000003
【図２】
2009506269.tif 000004
【図３】
2009506269.tif 000005
【図４】
2009506269.tif 000006
【図５】
2009506269.tif 000007
【図６】
2009506269.tif 000008
【図７】
2009506269.tif 000009
【国際調査報告】
2009506269.tif 000010
2009506269.tif 000011
2009506269.tif 000012
2009506269.tif 000013